(57)【要約】【課題】  コストが安く、施工性に優れていて、例えば一般住宅等にも容易に導入することができる鳥類等防除装置を提供する。【解決手段】  鳥類等防除装置１は、電気絶縁材によって形成され所要箇所に間隔をおいて配置固定される複数の取付ベース２と、金属管３０によって形成され、互いに一定の間隔をおいて並ぶように複数の取付ベース２に掛け渡され、一方に電圧が印加され他方が接地される１対の電極３とを備える。取付ベースは、台部２１と、台部から上方にのびかつ各電極を挿通させる水平貫通孔２３を有する１対の立上り部２２とよりなる。【選択図】  図１
0003126842.tif 000002
【実用新案登録請求の範囲】
【請求項１】
電気絶縁材によって形成され、かつ所要箇所に間隔をおいて配置固定される複数の取付ベース（２）と、
金属管（３０）によって形成され、互いに一定の間隔をおいて並ぶように複数の取付ベース（２）に掛け渡され、かつ一方に電圧が印加されるとともに他方が接地されるようになっている１対の電極（３）とを備えてなり、
各取付ベース（２）は、台部（２１）と、台部（２１）から上方にのびかつ各電極（３）を挿通させる水平貫通孔（２３）を有する１対の立上り部（２２）とよりなることを特徴とする、鳥類等防除装置。
【請求項２】
各取付ベース（２）は、台部（２１）が、横断面円形であって、その高さ中間部に環状の括れ部（２１１）を有しており、各立上り部（２２）が、台部（２１）上面の一直径上における対称位置のそれぞれから上方にのびる垂直部分（２２１）と、垂直部分（２２１）の先端から前記台部（２１）上面の一直径に沿って内方にのびる内方突出部分（２２２）とよりなり、水平貫通孔（２３）が、各立上り部（２２）における垂直部分（２２１）の先端から内方突出部分（２２２）にまたがる領域に形成されていることを特徴とする、請求項１記載の鳥類等防除装置。
【請求項３】
各電極（３）が、複数本の金属管（３０）の端部どうしを取付ベース（２）の水平貫通孔（２３）以外の箇所において圧着スリーブ（４）により接続してなることを特徴とする、請求項１または２記載の鳥類等防除装置。
【請求項４】
各電極（３）が、平面よりみて略Ｌ形に屈曲した金属管（３０Ａ）によって形成されたコーナー部（３１ａ）を有していることを特徴とする、請求項１〜３のいずれか１つに記載の鳥類等防除装置。
【請求項５】
各電極（３）が、１つの金属管（３０）の一端と他の２つの金属管（３０）の一端とを被覆導線（６）で接続することにより二股状に分岐されていることを特徴とする、請求項１〜４のいずれか１つに記載の鳥類等防除装置。
【考案の詳細な説明】
【技術分野】
【０００１】
本考案は、鳥類の飛来・営巣等によって引き起こされる被害を防止するための鳥類等防除装置に関し、より詳細には、鳥類等に電気的衝撃を与えてこれらを追い払うことにより被害の発生を防止する装置に関する。
本考案において、「鳥類等」には、鳥類の他、建造物への侵入等により被害を及ぼすおそれのある動物であって電気的衝撃による忌避効果が期待できるもの（例えば、蛇等）が含まれるものとする。
【背景技術】
【０００２】
人間を取り巻く環境の中にはスズメ、ハト、カラスといった多くの鳥類が棲息しているが、これらの鳥類によって、鳴き声による騒音、ゴミ荒らし、糞による公害、感染症の媒介、営巣等に伴う短絡や地絡等の電気事故の発生といった被害がもたらされ、問題となっている。
【０００３】
そこで、鳥類による被害を防止するため、従来より種々の手段が提案されており、その中の１つとして、飛来した鳥類に電気的衝撃を与えてこれらを追い払うものが知られている。
【０００４】
本出願人は、電気的衝撃により鳥類等を防除する装置として、以下のものを先に提案した。即ち、当該装置は、電気絶縁材製電極取付部材と、電極取付部材に互いに左右方向に間隔をおいて取り付けられた２つの電極とよりなる。電極取付部材は、帯状ベース、ベースの幅方向中間部に相互に左右方向に間隔をおいて形成されかつベースの長手方向に伸びる２つの立ち上がり壁、両立ち上がり壁の上縁から左右両方向に張り出すように形成された支持壁、両支持壁の左右両側縁に形成された上方突出壁、および上方突出壁の上縁から左右方向内方に突出するように形成された電極押さえ壁を有している。各電極の左右両側縁部は、各電極取付部材の支持壁の左右両側縁部と電極押さえ壁との間に嵌め入れられ、電極の幅方向の中央部は両電極押さえ壁よりも上方に突出させられている（下記の特許文献１参照）。
上記の装置は、主として発電所、変電所等の構内の鉄構や鉄塔を構成する鋼材上に設置され、飛来した鳥の趾が２つの電極の上方突出部にまたがるように触れると、鳥に電気的衝撃が与えられ、これにより鳥が追い払われる。また、上記の装置の場合、水滴による両電極間の短絡や、電極どうしの短絡および電極と鋼材との地絡を防止することができる。
【０００５】
但し、上記の装置は、比較的大掛かりであってコストが高くつく上、電極の架設等の施工性も容易とは言い難く、そのため、例えば一般住宅等への導入が困難であった。
さらに、上記の装置の場合、建造物の屋上等のコーナー部分に設置することができなかった。
【特許文献１】実用新案登録第３０８８５１４号公報
【考案の開示】
【０００６】
本考案の目的は、コストが安く、施工性に優れていて、例えば一般住宅等にも容易に導入することができる鳥類等防除装置を提供することにある。
【０００７】
本考案による鳥類等防除装置は、電気絶縁材によって形成され、かつ所要箇所に間隔をおいて配置固定される複数の取付ベースと、金属管によって形成され、互いに一定の間隔をおいて並ぶように複数の取付ベースに掛け渡され、かつ一方に電圧が印加されるとともに他方が接地されるようになっている１対の電極とを備えてなり、各取付ベースは、台部と、台部から上方にのびかつ各電極を挿通させる水平貫通孔を有する１対の立上り部とよりなるものである。
【０００８】
本考案による鳥類等防除装置は、上述した通り、複数の電気絶縁材製取付ベースと、１対の金属管製電極とで構成されているので、従来の装置と比べてコストが安くつく上、設置に際しては、複数の取付ベースを所要箇所に間隔をおいて配置固定するとともに、各電極を立上り部の水平貫通孔に挿通させて複数の取付ベースに掛け渡すだけでよいので、施工性の面でも優れている。したがって、本考案の鳥類等防除装置は、これを変電所や発電所等に限らず一般住宅等においても容易に設置することが可能である。
【０００９】
本考案による鳥類等防除装置において、各取付ベースは、台部が、横断面円形であって、その高さ中間部に環状の括れ部を有しており、各立上り部が、台部上面の一直径上における対称位置のそれぞれから上方にのびる垂直部分と、垂直部分の先端から前記台部上面の一直径に沿って内方にのびる内方突出部分とよりなり、水平貫通孔が、各立上り部における垂直部分の先端から内方突出部分にまたがる領域に形成されているのが好ましい。
【００１０】
各取付ベースが上記のように構成されていれば、表面漏洩距離を十分に確保することができ、漏れ電流を効果的に防止することができる。また、取付ベースにおける台部の環状括れ部は、取付ベースを例えば手摺等に紐で結束して取り付ける際の紐を掛ける箇所として使用することもでき、それによって様々な箇所に取付ベースを取り付けることを可能にする。
【００１１】
本考案による鳥類等防除装置において、各電極が、複数本の金属管の端部どうしを取付ベースの水平貫通孔以外の箇所において圧着スリーブにより接続してなる場合がある。
【００１２】
上記の場合、電極の架設作業を容易に行うことができ、施工性が向上する。
【００１３】
本考案による鳥類等防除装置において、各電極が、平面よりみて略Ｌ形に屈曲した金属管によって形成されたコーナー部を有している場合がある。
【００１４】
上記の場合、従来の装置では設置が困難であった建造物の屋上等のコーナー部分においても、鳥類等防除装置を容易に設置することができる。
【００１５】
また、本考案による鳥類等防除装置において、各電極が、１つの金属管の一端と他の２つの金属管の一端とを被覆導線によって接続することにより二股状に分岐されている場合がある。
【００１６】
上記の場合、鳥類等防除装置を、例えば建造物の屋上の手摺等に沿ってＴ型やＹ型に配設することが可能となり、また、その際の電極の配線作業等を容易に行いうる。
【考案を実施するための最良の形態】
【００１７】
図１〜６には、本考案の実施形態が示されている。この実施形態は、図１に示すように、本考案による鳥類等防除装置（１）をビルの屋上の手摺（Ｈ）に沿って設置したものである。
【００１８】
この鳥類等防除装置（１）は、電気絶縁材よりなる複数の取付ベース（２）と、金属管（３０）よりなる１対の電極（３）とを備えている。
各取付ベース（２）は、台部（２１）と、台部（２１）から上方にのびかつ各電極（３）を挿通させる水平貫通孔（２３）を有する１対の立上り部（２２）とよりなり、手摺（Ｈ）の上に間隔をおいて配置固定されている。
２つの電極（３）は、互いに一定の間隔をおいて並ぶように複数の取付ベース（２）に掛け渡されている。一方の電極（３）は電圧が印加される課電極となされ、他方の電極（３）は接地極となされる。
【００１９】
図２に詳しく示すように、各取付ベース（２）は、台部（２１）が、横断面円形であって、その高さ中間部に環状の括れ部（２１１）を有している。また、各立上り部（２２）は、台部（２１）上面の一直径上における対称位置のそれぞれから上方にのびる垂直部分（２２１）と、垂直部分（２２１）の先端から前記台部（２１）上面の一直径に沿って内方にのびる内方突出部分（２２２）とよりなり、水平貫通孔（２３）が、各立上り部（２２）における垂直部分（２２１）の先端から内方突出部分（２２２）にまたがる領域に形成されている。
台部（２１）の上面は、その周縁部が径方向外方に向かって次第に低くなるテーパ面（２１ａ）となされ、残りが水平な平坦面（２１ｂ）となされている。また、環状括れ部（２１１）の上下対向面は、中心に向かって互いに近づくように傾斜したテーパ面（２１１ａ）（２１１ｂ）となされている。
両立上り部（２２）の垂直部分（２２１）は、台部（２１）上面の平坦面（２１ｂ）の一直径上両端位置に形成されている。垂直部分（２２１）は、径方向外方の側面が台部（２１）上面の平坦面（２１ｂ）の輪郭形状に沿う凸円弧面をなし、残りの３つの側面が平坦面をなす横断面略長方形状に形成されている。内方突出部分（２２２）は、長方形の横断面を有している。水平貫通孔（２３）は、これに挿通される電極（３）の外径よりも若干大きな孔径を有している。
取付ベース（２）の材料は、電気絶縁性を有するものであれば特に限定されないが、好適には、比較的製造が容易であってコストが安くつくＡＢＳ樹脂等の合成樹脂が用いられ、通常、射出成形等によって一体成形される。
【００２０】
図３は、取付ベース（２）の表面漏洩距離を示したものである。具体的にいうと、図３中に実線（Ｘ）で示したものが、２つの電極（３）間の取付ベース（２）に沿った最短距離であって、例えば３３ｍｍ程度となされる。また、図３中に実線（Ｙ）で示したものが、課電極（３）から接地面（Ｇ）までの取付ベース（２）に沿った最短距離であって、例えば４０ｍｍ程度となされる。このように、本実施形態にあっては、取付ベース（２）として図１〜３に示しかつ上で説明したような構成を有するものを使用することによって、十分な表面漏洩距離が確保されており、それによって漏れ電流の効果的な防止が図られている。
【００２１】
図４は、手摺（Ｈ）の直線部における本装置（１）の設置状態を示したものである。同図に示すように、手摺（Ｈ）の上部に複数の取付ベース（２）が等間隔おきに配置固定されている。
手摺（Ｈ）への取付ベース（２）の固定は、通常、接着剤等による接着と、電気絶縁性を有する紐（５）による結束とが併用され、それによって十分な取付強度が得られる。紐（５）は、取付ベース（２）の台部（２１）の環状括れ部（２１１）に掛けられる。
なお、取付ベースを設置する面が平坦面である場合には、接着のみによって取付ベースを固定することができる。
【００２２】
各電極（３）は、複数本の真っ直ぐな金属管（３０）の端部どうしを、取付ベース（２）の水平貫通孔（２３）以外の箇所において、Ｂスリーブ等の圧着スリーブ（４）により接続してなる。
したがって、電極（３）の架設作業は、手摺（Ｈ）の上に予め設置された取付ベース（２）における両立上り部（２２）の水平貫通孔（２３）に、金属管（３０）を順次挿通させて、隣り合う金属管（３０）の一端どうしを圧着スリーブ（４）によって接続すればよいので、きわめて簡単であって作業効率に優れている。
電極（３）を構成する金属管（３０）としては、例えば銅管やアルミニウム管が挙げられる。金属管（３０）のサイズは、特に限定されないが、通常、外径３ｍｍ程度、長さ１０００ｍｍ程度のものが用いられる。
図示は省略したが、両電極（３）の一端は電圧可変装置を備えた電源装置に接続されており、好適には１５００Ｖ以上の高圧パルス電圧が一方の電極（３）に印加されるとともに、他方の電極（３）が接地されるようになっている。そして、ビルの屋上に飛来した鳥類の趾等が手摺（Ｈ）の上に設置された本装置（１）における２つの電極（３）にまたがるように触れると、鳥類等に電気的衝撃が与えられ、これにより鳥類等が追い払われる。この際、鳥類等の体に流れる電流は、電圧は高いものの、約２０μｓｅｃ程度の瞬間放電であって、微少電流であるため、鳥類等に対して傷や火傷等の損傷を与えることはない。電気的衝撃を受けた鳥類等は、学習によりビルの屋上に近づかないようになる。
【００２３】
図５は、手摺（Ｈ）のコーナー部における本装置（１）の設置状態を示したものである。同図に示すように、各電極（３）に、平面よりみてＬ形に屈曲した金属管（３０Ａ）によって形成されたコーナー部（３ａ）が設けられている。これらのＬ形金属管（３０Ａ）は、手摺（Ｈ）の直交する２つの直線部それぞれに配置固定された取付ベース（２）の水平貫通孔（２３）にまたがって挿通されている。Ｌ形金属管（３０Ａ）の両端は、２つの直線部を構成する真っ直ぐな金属管（３０）の一端に、Ｂスリーブ等の圧着スリーブ（４）によって接続されている。
したがって、この実施形態の装置（１）によれば、手摺（Ｈ）のコーナー部においても、電気的衝撃によって鳥類等を追い払うことができ、より高い防除効果が得られる。
【００２４】
図６は、手摺（Ｈ）のＴ形分岐部における本装置（１）の設置状態を示したものである。同図に示すように、図６の前後方向にのびる手摺（Ｈ）の直線部に設置された各電極（３）を構成する金属管（３０）の一端が、前記直線部の一端から図６の左右各方向にのびる他の２つの手摺（Ｈ）の直線部に設置された各電極（３）を構成する２つの金属管（３０）の一端に、被覆導線（６）を介して接続され、これによって各電極（３）が二股状に分岐されている。金属管（３０）と被覆導線（６）との接続には、Ｐスリーブ等の圧着スリーブ（４）が用いられている。
したがって、この実施形態によれば、簡単な配線作業によって各電極（３）を二股状に分岐させることができ、ひいてはＴ形やＹ形等の二股分岐部を有する手摺（Ｈ）の上に本装置（１）を容易に設置することが可能となる。
【図面の簡単な説明】
【００２５】
【図１】本考案の実施形態を示すものであって、鳥類等防除装置の斜視図である。
【図２】図１の鳥類等防除装置の取付ベースを拡大して示す側面図である。
【図３】取付ベースの表面漏洩距離を示す図である。
【図４】手摺の直線部における鳥類等防除装置の設置状態を示す平面図である。
【図５】手摺のコーナー部における鳥類等防除装置の設置状態を示す平面図である。
【図６】手摺のＴ形分岐部における鳥類等防除装置の設置状態を示す平面図である。
【符号の説明】
【００２６】
（１）：鳥類等防除装置
（２）：取付ベース
（２１）：台部
（２１１）：環状括れ部
（２２）：立上り部
（２３）：水平貫通孔
（３）：電極
（３ａ）：コーナー部
（３０）：金属管
（３０Ａ）：Ｌ形金属管
（４）：圧着スリーブ
（６）：被覆導線
【図１】
0003126842.tif 000003
【図２】
0003126842.tif 000004
【図３】
0003126842.tif 000005
【図４】
0003126842.tif 000006
【図５】
0003126842.tif 000007
【図６】
0003126842.tif 000008